(57)【要約】【課題】データ電極に駆動電圧を印加するためデータ電極端子部において、電界による金属イオンのマイグレーションを抑制するとともに、製造歩留まりの高い高解像度のＰＤＰを提供する。【解決手段】一方の面上に複数の表示電極対が形成された前面基板と、一方の面上に複数のデータ電極と放電空間を区切る隔壁とが形成された背面基板３とを、表示電極対とデータ電極とが直交するように対向配置するとともにその周辺部を封着部材によって封着したＰＤＰであって、背面基板３の封着部材の外周端部に外部駆動回路とデータ電極とを接続するためのデータ電極端子３２を設け、各データ電極端子３２の間に絶縁部材で構成された凸部３６を設けている。【選択図】図３
2007287408.tif 000002
【特許請求の範囲】
【請求項１】
一方の面上に複数の表示電極対が形成された前面基板と、一方の面上に複数のデータ電極と放電空間を区切る隔壁とが形成された背面基板とを、前記表示電極対と前記データ電極とが直交するように対向配置するとともにその周辺部を封着部材によって封着したプラズマディスプレイパネルであって、前記背面基板の前記封着部材の外周端部に外部駆動回路と前記データ電極とを接続するためのデータ電極端子部を設け、前記データ電極端子部の各データ電極端子の間に絶縁部材で構成された凸部を設けたことを特徴とするプラズマディスプレイパネル。
【請求項２】
前記凸部が前記隔壁と同一材料で構成されていることを特徴とする請求項１に記載のプラズマディスプレイパネル。
【請求項３】
前記データ電極端子はフレキシブル基板に形成された接続端子と異方性導電粒子を介して接続し、前記凸部の高さを前記データ電極端子の厚さと前記接続端子の厚さの和よりも大きくしたことを特徴とする請求項１または請求項２に記載のプラズマディスプレイパネル。
【請求項４】
一方の面上に複数の表示電極対が形成された前面基板と、一方の面上に複数のデータ電極と放電空間を区切る隔壁とが形成された背面基板とを、前記表示電極対と前記データ電極とが直交するように対向配置するとともにその周辺部を封着部材によって封着したプラズマディスプレイパネルであって、前記背面基板の前記封着部材の外周端部に外部駆動回路と前記データ電極とを接続するためのデータ電極端子部を設け、前記データ電極端子部の各データ電極端子の間の前記背面基板に凹部を設けたことを特徴とするプラズマディスプレイパネル。
【発明の詳細な説明】
【技術分野】
【０００１】
本発明は、プラズマディスプレイパネルに関し、特にデータ電極端子部での電界集中による金属イオンのマイグレーションを抑制し、信頼性の高いプラズマディスプレイパネルを提供する。
【背景技術】
【０００２】
プラズマディスプレイパネル（以下、ＰＤＰと略記する）は、前面基板と背面基板とを対向配置してその周辺部を封着部材によって封着した構造を有し、前面基板と背面基板との間に形成される放電空間には、ネオンおよびキセノンなどの放電ガスが封入されている。
【０００３】
前面基板はガラス基板の片面にストライプ状に形成された表示電極対と、これらの表示電極対を覆う誘電体層および保護膜を備えている。背面基板はガラス基板の片面にストライプ状に形成されたデータ電極と、これらのデータ電極を覆う下地誘電体層と、下地誘電体層上に形成され、放電空間をデータ電極毎に区画するストライプ状の隔壁と、隔壁間の下地誘電体層上と隔壁側面に形成された赤色、緑色、青色の蛍光体膜を備えている。
【０００４】
前面基板と背面基板とは表示電極対とデータ電極とが直交するように対向配置されて封着されていて、それらの電極の交差部が放電セルになっている。これらの放電セルはマトリクス状に配列され、表示電極対の方向に並ぶ赤色、緑色、青色の蛍光体膜を有する３個の放電セルがカラー表示のための画素を形成する。
【０００５】
前面基板に形成された複数の表示電極対、および背面基板に形成された複数のデータ電極は表示領域の外周部に設けられたそれぞれのデータ電極端子を介して外部駆動回路の接続電極に接続されている。図７は従来のＰＤＰの背面基板３上に設けたデータ電極端子部３３の構成を示す図であり、複数のデータ電極２２およびそのデータ電極端子部３３と、データ電極端子部３３に接続されるフレキシブル基板（以下、ＦＰＣと略記する）３４の接続構造を示す。図７（ａ）はＰＤＰの背面基板３とともに全てのデータ電極端子部３３の構造を示す平面図である。図７（ｂ）は１つのデータ電極端子部３３の断面図である。背面基板３上には額縁状の封止部材６０が設けられ、封止部材３０の内側が画像表示領域になる。図７（ａ）に示すように、背面基板３の外周部の上側長辺には、複数のデータ電極端子部３３が設けられ、１つのデータ電極端子部３３には引き出し線３５により各データ電極２２と接続された複数のデータ電極端子３２を集合させている。
【０００６】
データ電極端子部３３のそれぞれのデータ電極端子３２には、接続端子３７を設けたＦＰＣ３４が圧着されて電気的、機械的に接続される。これにより、外部駆動回路からの駆動電圧が接続端子３７、データ電極端子３２を介してデータ電極２２に印加される。ＦＰＣ３４を背面基板３上のデータ電極端子３２に圧着するためには貼りしろが必要であることから、データ電極端子部３３の幅（Ｗｔ）はＦＰＣ３４の幅（Ｗｆ）よりも小さくしている。すなわち、データ電極端子部３３に集合された複数のデータ電極端子３２のピッチは画像表示領域におけるデータ電極２２のピッチよりも小さくなる。そのため、引き出し線３５はデータ電極２２側からデータ電極端子３２側に向かってＦＰＣ３４の中心線を対称として絞り込むように形成されている。つまり、データ電極端子３２の線幅および線間隔はデータ電極２２の線幅および線間隔よりも小さくなっている。
【０００７】
一方、図７（ｂ）に示すように、背面基板３上のデータ電極端子３２とＦＰＣの接続端子３７とは異方性導電シート（ＡＣＦと略記）３８を挟んで圧着されている。データ電極端子３２と接続端子３７とがＡＣＦ３８中の金属粒子３９によって直接接続されるとともに、背面基板３とＦＰＣ３４とのギャップには金属粒子３９とバインダー樹脂が充填され機械的強度を保っている。データ電極端子３２は、銀（Ａｇ）などからなる導電性ペーストをスクリーン印刷により作製する方法や、背面基板３上に電極材料の膜を形成した後にフォトリソグラフィ法でパターンニングする方法により作製される。
【０００８】
ＰＤＰの高精細化に伴って、データ電極２２の本数が多くなり、その線幅や線間隔が小さくなると、印加電圧による電界強度が隣接するデータ電極端子３２間で最大となる。その結果、Ａｇイオンのマイグレーションが発生し、隣接するデータ電極端子３２間に短絡不良を引き起こす。
【０００９】
これらのデータ電極端子部でのマイグレーションを抑制する例として、データ電極からの引き出し線の形状を変える方法などが提案されている（例えば、特許文献１参照）。
【特許文献１】特開２００１−２８３７３６号公報
【発明の開示】
【発明が解決しようとする課題】
【００１０】
ＰＤＰの解像度に対する要望は高くなり、高精細度テレビ用ではＶＧＡ（Ｖｉｄｅｏ  Ｇｒａｐｈｉｃｓ  Ａｒｒａｙ）表示用に比べて高い解像度が要求される。例えば、５０インチ以上の高精細ＰＤＰでは、そのデータ電極の線幅は１００μｍで、線間幅は１５０μｍになり、データ電極端子は線幅８０μｍ、線間幅１３５μｍになる。そして、さらにサイズの小さいＰＤＰでも高精度化が図られるものと想定され、その場合にはデータ電極端子の線間幅は８０μｍよりも狭くなることが想定される。
【００１１】
データ電極端子の線間幅が狭くなると、データ電極端子間に印加される電圧によって大きな電界が生じ、動作時間の経過とともに金属イオンのマイグレーションにより絶縁破壊に至る。つまり、表示画面の高解像度化に伴ってデータ電極端子の狭ピッチ化が進みデータ電極端子の間隔を縮小する必要が生じ、それによってデータ電極端子間に生じる電界が増大して、金属イオンのマイグレーションによる絶縁破壊が促進される。また、狭ピッチ化に伴って、背面基板に形成されたデータ電極端子とフレキシブル基板の接続端子との位置合わせが困難になり製造歩留まりが低下する。
【００１２】
本発明は、このような課題をデータ電極端子部の構造を工夫することにより解決するものであり、電界による金属イオンのマイグレーションを抑制するとともに、製造歩留まりの高い高解像度のＰＤＰを提供することを目的とする。
【課題を解決するための手段】
【００１３】
上述したような課題を解決するために、本発明のＰＤＰは、一方の面上に複数の表示電極対が形成された前面基板と、一方の面上に複数のデータ電極と放電空間を区切る隔壁とが形成された背面基板とを、表示電極対とデータ電極とが直交するように対向配置するとともにその周辺部を封着部材によって封着したＰＤＰであって、背面基板の封着部材の外周端部に外部駆動回路と前記データ電極とを接続するためのデータ電極端子部を設け、データ電極端子部の各データ電極端子の間に絶縁部材で構成された凸部を設けている。
【００１４】
このような構成によれば、データ電極端子のピッチが狭くなっても、データ電極端子間に設けた凸部により、駆動電圧印加によって引き起こされる金属イオンのマイグレージョンが抑制されてデータ電極端子間の絶縁破壊を抑制し、信頼性の高い高精細ＰＤＰを実現することができる。
【００１５】
さらに、凸部が隔壁と同一材料で構成されていることが望ましく、隔壁形成と同時に凸部を形成することができるために製造工程が簡略化できる。
【００１６】
さらに、データ電極端子はフレキシブル基板に形成された接続端子と異方性導電粒子を介して接続し、凸部の高さをデータ電極端子の厚さと接続端子の厚さの和よりも大きくすることが望ましい。このような構成によれば、凸部がフレキシブル基板に設けられた接続端子の間に嵌合する形態でデータ電極端子と接続端子とが接続され、両者のアラインメント精度が向上して製造歩留まりを高めることができる。
【００１７】
また、本発明のＰＤＰは、一方の面上に複数の表示電極対が形成された前面基板と、一方の面上に複数のデータ電極と放電空間を区切る隔壁とが形成された背面基板とを、表示電極対とデータ電極とが直交するように対向配置するとともにその周辺部を封着部材によって封着したＰＤＰであって、背面基板の封着部材の外周端部に外部駆動回路とデータ電極とを接続するためのデータ電極端子部を設け、データ電極端子部の各データ電極端子の間の背面基板に凹部を設けている。
【００１８】
このような構成によれば、データ電極端子のピッチが狭くなっても、データ電極端子間に設けた凹部により背面基板のガラスと接着樹脂界面を電界により金属イオンが異動する距離が延伸されてマイグレーションを抑制でき、データ電極端子間の絶縁破壊を抑制して信頼性の高い高精細ＰＤＰを実現することが可能となる。
【発明の効果】
【００１９】
本発明によれば、データ電極端子部において、電界による金属イオンのマイグレーションを抑制するとともに、製造歩留まりの高い高解像度のＰＤＰを提供することができる。
【発明を実施するための最良の形態】
【００２０】
以下、図面を用いて本発明の実施の形態について詳細に説明する。
【００２１】
（第１の実施の形態）
図１はＡＣ面放電型のＰＤＰの分解斜視図であり、ＰＤＰ１は対向配置された透明なガラス基板などよりなる前面基板２とガラス基板などよりなる背面基板３とにより構成されて、前面基板２と背面基板３との間に複数の放電セル４が形成されている。前面基板２上には、誘電体層１１および保護層１２で覆われた走査電極１３と維持電極１４とからなる表示電極対１５が平行に複数配列されている。走査電極１５は可視光を透過する透明電極１６と電極の抵抗を低くする役割を果たすバス電極１７とから構成される。同様に維持電極１４も透明電極１８とバス電極１９とから構成されている。
【００２２】
一方、背面基板３上には、表示電極対１５に直交する方向に下地誘電体層２１に覆われた複数のデータ電極２２が互いに平行して配列されている。隣り合うデータ電極２２の間には、放電空間をデータ電極２２毎に区画するための隔壁２３が設けられている。さらに、下地誘電体層２１上と隔壁２３の側面には蛍光体層２４が形成されている。放電セル４には、放電によって紫外線を放射するガスとして例えばネオンやキセノンなどが封入されている。そして、放電セル４内での放電により発生する紫外線によって蛍光体層２４が励起されて３原色の可視光を発生しカラー画像を表示する。
【００２３】
上記のようにＰＤＰ１は、前面基板２と背面基板３とを対向配置し、その間隙にマトリクス状に配列された放電セル４が画像表示領域を構成している。なお、前面基板２と背面基板３との外周部は、ガラスフリットなどの封着部材（図示せず）によって封着されている。前面基板２および背面基板３に形成された表示電極１５とデータ電極２２に外部駆動回路から駆動電圧を印加するために、前面基板２および背面基板３の外周端部に電極端子部（図示せず）を設け、この電極端子とＦＰＣの接続端子とを異方性導電膜（ＡＣＦ）を介して圧着して外部駆動回路と接続している。
【００２４】
図２は、本発明の第１の実施の形態におけるＰＤＰの背面基板３の平面図であり、データ電極２２とデータ電極端子部３０との詳細を示すために放電空間を区画する隔壁などは省略している。また、図２は従来例として示した図７（ａ）と基本の構成が同じである。額縁状の封着部材３３で囲まれた画像表示領域３１内には、下地誘電体層２１で覆われた複数のデータ電極２２がストライプ状に形成されている。データ電極２２およびデータ電極端子３２は銀（Ａｇ）などからなる導電性ペーストをスクリーン印刷により作製する方法や、背面基板３上に電極材料の膜を形成した後にフォトリソグラフィ法でパターンニングする方法などにより作製される。本発明の実施の形態における高精細ＰＤＰでは、データ電極２２の本数は５７６０本であり、その線幅は１００μｍ、線間幅は１５０μｍでありデータ電極２２のピッチは２５０μｍに設計している。
【００２５】
図２に示すように、背面基板３上の外周端部の上側長辺には、複数のデータ電極２２用のデータ電極端子３２が複数のデータ電極端子部３０に分けて形成されている。データ電極端子部３０に設けられたデータ電極端子３２は下地誘電体層で覆われず背面基板３のガラス基板に露出して形成されている。１つのデータ電極端子部３０毎に１本のＦＰＣ３４が圧着される。本発明の実施の形態では、１５本のＦＰＣ３４を用いるので、３８４本のデータ電極端子３２が１本のＦＰＣ３４面上の接続端子に接続されている。ＦＰＣ３４を圧着するためには貼りしろが必要であることから、データ電極端子部３０の幅はＦＰＣ３４の幅よりも狭くなる。そのため、データ電極端子３２の線幅、線間幅は、データ電極２２の線幅、線間幅に比べて狭くなる。本発明の実施の形態では、データ電極端子３２の線幅を６０μｍ、線間幅を８０μｍとし、データ電極端子３２のピッチを１４０μｍに設計している。そして３８４本のデータ電極２２を引き出し線３５により絞り込んで、１つの端子部３０に形成された同数のＦＰＣ３４の接続端子に接続している。
【００２６】
図３は、本発明の第１の実施の形態におけるＰＤＰの背面基板に設けたデータ電極端子部３０の構成を示す図であり、図３（ａ）はデータ電極端子部３０の拡大平面図、図３（ｂ）はその断面図である。図３に示すように、データ電極端子３２間には隔壁と同一材料で、絶縁部材で構成された凸部３６が設けられている。さらに、図３（ａ）に示すように凸部３６はデータ電極端子３２間のみだけでなく、データ電極２２からの引き出し線３５側にまで延長して設けてもよい。図３（ｂ）に示すように、データ電極端子３２間に凸部３６が形成された背面基板３とＦＰＣ３４が異方性導電シート３８により接着されていて、データ電極端子３２とＦＰＣ３４面に形成された接続端子３７とが異方性導電シート３８内の導電粉末３９により電気的に接続されている。さらに、これらの領域は封止樹脂によりモールド保護されている。
【００２７】
図４は本発明の実施の形態におけるＰＤＰの背面基板３の製造工程の一部を示す図、図４（ａ）は画像表示領域の隔壁２３の製造工程を示す図、そして図４（ｂ）はデータ電極端子部３２の製造工程を示す図である。図４（ａ）に示すように、背面基板３上にデータ電極２２を形成し、その表面に下地誘電体層２１を形成している。隔壁２３は、２層構成の隔壁４１、４２の膜を全面に塗布しフォトリソグラフィ法により形成される。
【００２８】
図４（ｂ）に示すように、データ電極端子部３０は、図４（ａ）のデータ電極２２と同時に形成され、その後、データ電極端子３２間に、画像表示領域の２層目の隔壁材料４２を塗布して、隔壁２３のパターンニングをするのと同時にパターンニングして凸部３６を形成することができる。
【００２９】
この工程により、１層目隔壁４１上に２層目隔壁４２が形成されるとともに、データ電極端子部３０のデータ電極端子３２間に凸部３６が形成される。次に、所定の温度で焼成することにより隔壁２３および凸部３６を焼成固化する。これらの結果、凸部３６は絶縁特性が良好な隔壁２３と同一のガラス系材料で形成されるとともに、凸部３６形成のために付加的な工程は不要である。
【００３０】
したがって、本発明の第１の実施の形態によれば、データ電極端子３２間に設けた凸部３６が封止樹脂／ガラス界面、ＡＣＦ／ガラス界面を銀イオンが電界によって移行するのをブロックする。つまり、データ電極端子３２を構成する金属イオンの移行パスが、凸部３６により延伸されるため電界強度が低くなり金属イオンのマイグレーションが抑制されてデータ電極端子３２間の短絡による不良を抑制することができる。
【００３１】
また、図３（ｂ）に示すように、凸部３６の高さはデータ電極端子３２の厚さとＦＰＣ３４の接続端子３７の厚さの和よりも高く形成されている。これにより、ＦＰＣ３４を対向配置して圧着する工程において、図３（ｂ）に示すように凸部３６をＦＰＣ３４の接続端子３７間に嵌合することができるため、データ電極端子３２と接続端子３７とのアラインメント精度が向上して接続不良などを抑制して製造歩留まりを向上させることができる。
【００３２】
（第２の実施の形態）
図５は本発明の第２の実施の形態におけるＰＤＰの背面基板に設けたデータ電極端子部３０の構成を示す図であり、図３（ａ）はデータ電極端子部３０の拡大平面図、図３（ｂ）はその断面図である。第１の実施の形態と同一の構成部材については同じ符号を付し、その説明を省略する。端子電極３２は第１の実施の形態の場合と同様に銀（Ａｇ）などからなる導電性ペーストをスクリーン印刷法などにより形成されている。本発明の実施の形態ではデータ電極端子３２間の背面基板３にサンドブラスト法などを用い、データ電極端子３２にほぼ平行に凹部５０を設けている。この凹部５０によりデータ電極端子３２間で銀の金属イオンが封止樹脂／ガラス界面を移行する距離を長くすることができる。凹部５０の断面形状は任意の形状が考えられ、例えば、図６に示すような逆３角形状でもよいし、矩形形状でもよい。データ電極端子３２を構成する銀（Ａｇ）のイオンは封止樹脂と基板ガラスとの界面を移行するため、データ電極端子３２間に凹部５０を設けることにより、銀イオンの移行パスが延伸されて電界強度が低くなる。その結果、銀イオンのマイグレーションが抑制されてデータ電極端子３２間の短絡による不良が抑制される。
【００３３】
また、本発明の第１および第２の実施の形態では、データ電極端子３２の線幅と線間幅とが、データ電極２２の線幅と線間幅とに比べてともに狭く設計されているとした。しかし、データ電極端子３２とデータ電極２２の線幅が等しくて、データ電極端子３２の線間幅のみが狭い場合や、データ電極端子３２とデータ電極２２との線間幅が等しくて、データ電極端子３２の線幅のみが狭い場合にも本発明を適用することができる。
【００３４】
なお、上記説明では、背面基板３のデータ電極２２について説明したが、前面基板２の表示電極１５を外部と接続する端子部についても適用し、同様の効果を発現することは可能である。
【産業上の利用可能性】
【００３５】
以上のように、本発明によれば電界による金属イオンのマイグレーションを抑制するとともに、製造歩留まりの高い高解像度のＰＤＰを提供することができ高精細の画像表示装置などに有用である。
【図面の簡単な説明】
【００３６】
【図１】ＡＣ面放電型のＰＤＰの分解斜視図
【図２】本発明の第１の実施の形態におけるＰＤＰの背面基板の平面図
【図３】同ＰＤＰの背面基板に設けたデータ電極端子部の構成を示す図
【図４】同ＰＤＰの背面基板の製造工程の一部を示す図
【図５】本発明の第２の実施の形態におけるＰＤＰの背面基板に設けたデータ電極端子部の構成を示す図
【図６】同背面基板に設けたデータ電極端子部の別の構成を示す図
【図７】従来のＰＤＰの背面基板に設けたデータ電極端子部の構成を示す図
【符号の説明】
【００３７】
１    ＰＤＰ
２    前面基板
３    背面基板
４    放電セル
１１    誘電体層
１２    保護層
１３    走査電極
１４    維持電極
１５    表示電極対
１６，１８    透明電極
１７，１９    バス電極
２１    下地誘電体層  
２２    データ電極
２３    隔壁
２４    蛍光体層
３０    データ電極端子部
３１    画像表示領域
３２    データ電極端子
３３，６０    封着部材
３４    ＦＰＣ
３５    引き出し線
３６    凸部
３７    接続端子
３８    ＡＣＦ
３９    金属粒子
４１    １層目隔壁
４２    ２層目隔壁
５０    凹部
【図１】
2007287408.tif 000003
【図２】
2007287408.tif 000004
【図３】
2007287408.tif 000005
【図４】
2007287408.tif 000006
【図５】
2007287408.tif 000007
【図６】
2007287408.tif 000008
【図７】
2007287408.tif 000009